(57)【特許請求の範囲】
【請求項１】
複数の音量レベル調整手段を有する音響装置を制御する携帯端末装置において、
上記音響装置との通信を行う通信手段と、
上記音量レベル調整手段に対応する操作子を表示する表示手段と、
互いに交差する第１及び第２の方向について筐体の傾きを検出する傾き検出手段と、
第１及び第２の方向のうち、第１の方向の傾きに基づいて、上記操作子を選択する操作入力が行われる操作子選択手段と、
第１及び第２の方向のうち、第２の方向の傾きに基づいて、選択された上記操作子に対応する上記音量レベル調整手段の調整量を制御するための操作入力が行われる音量調整手段と、
上記操作子選択手段による上記操作子の変更を禁止する選択動作無効化手段とを備え、
上記通信手段は、選択された上記操作子及び上記調整量の情報を上記音響装置に送信し、
上記表示手段は、タッチパネルからなり、上記選択動作無効化手段となる選択動作無効化用タッチキーを表示可能とし、
上記操作子選択手段は、上記表示手段の表面を押圧する動作により上記操作子の選択を行う制御も可能とし、
上記音量調整手段は、上記表示手段の表面を押圧する動作による上記調整量の制御も可能とし、
上記表示手段への押圧動作により上記操作子を操作する時は、上記操作子選択手段及び上記音量調整手段へ入力された傾き検出結果を無効にするように構成されていることを特徴とする音響装置用携帯端末装置。
【請求項２】
上記音量調整手段による上記調整量の変更を禁止する音量調整無効化手段を備え、
上記表示手段は、上記音量調整無効化手段となる音量調整無効化用タッチキーを表示可能とすることを特徴とする請求項１に記載の音量装置用携帯端末装置。
【請求項３】
上記選択動作無効化手段となる接点開閉式の選択動作無効化スイッチと、
上記音量調整無効化手段となる接点開閉式の音量調整無効化スイッチとを備えていることを特徴とする請求項２に記載の音響装置用携帯端末装置。
【請求項４】
上記傾き検出手段は、基準状態から一定角度以上に傾けられた状態が一定時間以上となったときに、上記操作子選択手段及び上記音量調整手段に対して傾き検出結果を入力することを特徴とする請求項１から３の何れかに記載の音響装置用携帯端末装置。
【発明の詳細な説明】
【技術分野】
【０００１】
本発明は、入力情報を表示する表示手段と、互いに交差する２方向について筐体の傾きを検出する傾き検出手段とを備え、上記傾き検出手段により検出された傾きの方向に応じて異なる操作入力を行えるようにした入力装置に関する。また、本発明は、複数の音量レベル調整手段を有する音響装置用携帯端末装置に関する。
【背景技術】
【０００２】
従来から、複数の音声入力部(チャンネル)から入力された音声の音量レベル調整を行う調整部を有するオーディオミキサを外部の携帯端末装置から遠隔操作することが行なわれている（例えば、特許文献１参照）。上記携帯端末装置は、タッチパネル式の液晶表示画面を有している。そして、この表示画面にオーディオミキサの複数のチャンネルに対応する操作子を表示させると共に、ユーザが、この表示画面の操作したい操作子が表示されている部分を押しながらスライドすることにより、この操作子に対応するオーディオミキサのチャンネルの音量レベルを遠隔操作により調整できるようになっている。
【０００３】
【特許文献１】特開２００７−２５８８２６号公報
【発明の開示】
【発明が解決しようとする課題】
【０００４】
しかしながら、携帯端末装置のタッチパネルは、面積が非常に小さく、タッチパネルに表示された操作子を用いてオーディオミキサの各チャンネルの音量レベルを調整するには操作が行い難い。即ち、ユーザは、一方の手で携帯端末装置を保持した状態で、他方の手の指又はペンを小さい面積のタッチパネル上における複数の操作子の中の所望の操作子の部分に接触させた状態で、指又はペンをスライドさせて音量を調整する必要がある。従って、ユーザは、小さい面積のタッチパネルに小さく表示される操作子を選択し、音量調整を行う場合には、この小さく表示される操作子の部分を指で押さえながらスライド操作しなければならず、所定の操作子を指定し難くスライド操作も行い難い。
【０００５】
しかも、両手が拘束されてしまうので、一方の手で音響装置の音量制御を行い、他方の手で、例えば、電話を受けたり、メモを取ったりするなどのその他の作業を行うことができない。また、操作子の操作性を上げるためにタッチパネルの面積を大きくする場合には、携帯端末装置が大きくなってしまう。
【０００６】
本発明は、上記の事情に鑑みてなされたものであり、片手で簡単に、かつ、確実に入力動作が行える入力装置、具体的には、音響装置の遠隔操作による音量調整を片手で簡単に、かつ、確実に行うことができる音響装置用携帯端末装置を提供することを目的とする。
【課題を解決するための手段】
【００１０】
第１の本発明による音響装置用携帯端末装置は、複数の音量レベル調整手段を有する音響装置を制御する携帯端末装置において、上記音響装置との通信を行う通信手段と、上記音量レベル調整手段に対応する操作子を表示する表示手段と、互いに交差する第１及び第２の方向について筐体の傾きを検出する傾き検出手段と、第１及び第２の方向のうち、第１の方向の傾きに基づいて、上記操作子を選択する操作入力が行われる操作子選択手段と、第１及び第２の方向のうち、第２の方向の傾きに基づいて、選択された上記操作子に対応する上記音量レベル調整手段の調整量を制御するための操作入力が行われる音量調整手段と、上記操作子選択手段による上記操作子の変更を禁止する選択動作無効化手段とを備え、上記通信手段が、選択された上記操作子及び上記調整量の情報を上記音響装置に送信し、上記表示手段が、タッチパネルからなり、上記選択動作無効化手段となる選択動作無効化用タッチキーを表示可能とし、上記操作子選択手段が、上記表示手段の表面を押圧する動作により上記操作子の選択を行う制御も可能とし、上記音量調整手段が、上記表示手段の表面を押圧する動作による上記調整量の制御も可能とし、上記表示手段への押圧動作により上記操作子を操作する時は、上記操作子選択手段及び上記音量調整手段へ入力された傾き検出結果を無効にするように構成されている。
【００１１】
本発明の音響装置用携帯端末装置によれば、ユーザが、上記選択動作無効化手段を操作して、上記筐体を傾けることにより、上記操作子選択手段による上記操作子の変更を禁止して、上記傾き検出手段で検出された上記筐体の傾きに基づいて、上記調整量の制御を確実に行うことができる。
【００１２】
このように、上記選択動作無効化手段を動作させることにより、傾き検出結果に基づく上記操作子の選択の変更を禁止するので、選択されている上記操作子による音量調整のみを行うことができ、音量調整の際に誤作動することなく確実に音量調整を行うことができる。その結果、ユーザは、片手で、上記携帯端末装置を保持して、上記筐体を傾けるだけで、上記音量調整を確実に行うことができる。
【００１３】
また、このような構成により、ユーザは、上記表示手段への押圧動作による上記操作子の選択及び上記調整量の制御と、上記筐体を傾けることによる上記操作子の選択及び上記調整量の制御とを選択して行うことができる。そして、上記表示手段への押圧動作による上記操作子の選択及び上記調整量の制御を行う場合には、上記傾き検出手段の検出結果の影響を受けることなく操作を行うことができる。なお、上記通信手段は、上記音響装置との通信を無線通信により行うように構成することが好ましい。このように構成することにより、遠隔操作により上記音響装置における上記音量レベル調整手段の音量制御を行うことができる。
【００１４】
第２の本発明による音響装置用携帯端末装置は、上記構成に加えて、上記音量調整手段による上記調整量の変更を禁止する音量調整無効化手段を備え、上記表示手段が、上記音量調整無効化手段となる音量調整無効化用タッチキーを表示可能に構成されている。本発明は、このような構成により、ユーザが、上記音量調整無効化手段を操作して、上記筐体を傾けることにより、上記音量調整手段による上記調整量の変更を禁止して、上記傾き検出手段で検出された上記筐体の傾きに基づいて、上記表示手段に表示されている上記操作子の選択を確実に行うことができる。このように、本発明の音響装置用携帯端末装置は、上記音量調整無効化手段を動作させることにより、傾き検出結果に基づく上記操作子による上記調整量の変更を禁止するので、上記操作子を選択する操作のみ行うことができ、上記操作子を選択する際に誤作動することなく確実に上記操作子の選択を行うことができる。その結果、ユーザは、片手で、上記携帯端末装置を保持して、上記筐体を傾けるだけで、上記操作子の選択を確実に行うことができる。
【００１７】
第３の本発明による音響装置用携帯端末装置は、上記構成に加えて、上記選択動作無効化手段となる接点開閉式の選択動作無効化スイッチと、上記音量調整無効化手段となる接点開閉式の音量調整無効化スイッチとを備えるように構成されている。本発明は、このような構成により、上記選択動作無効化スイッチ又は上記音量調整無効化スイッチを操作しながら、上記筐体を傾けるだけで、確実に上記操作子の選択及び音量調整を行える。
【００１８】
第４の本発明による音響装置用携帯端末装置は、上記構成に加えて、上記傾き検出手段は、基準状態から一定角度以上に傾けられた状態が一定時間以上となったときに、上記操作子選択手段及び上記音量調整手段に対して傾き検出結果を入力するように構成されている。本発明によれば、上記筐体を傾けることによる上記操作子の選択及び上記調整量の制御は、上記筐体を傾ける角度及び傾けている時間を定めることにより確実に行うことができる。
【発明の効果】
【００１９】
本発明の入力装置及び音響装置用携帯端末装置によれば、ユーザの操作により、不要な操作入力に対して無効化手段を動作させて、上記入力装置又は上記携帯端末装置の上記筐体を傾けるだけで、上記傾き検出手段で検出された上記筐体の傾きに基づいて、上記表示手段に表示されている入力情報に関する必要な操作入力である上記操作子の選択及び上記調整量の制御を確実に行うことができる。その結果、ユーザは、片手で上記入力装置及び上記携帯端末装置を保持して傾けるだけで、所望の操作入力である上記操作子の選択及び音量調整を確実に行うことができる。
【発明を実施するための最良の形態】
【００２０】
本発明の実施の形態の音響装置用携帯端末装置を用いて、音響装置の音量レベルをチャンネル毎に調整するシステムについて、図面に基づいて説明する。
【００２１】
本実施の形態では、図１に示すように、音響装置としてオーディオミキサ１を用いており、このオーディオミキサ１は、複数の音量制御装置３と接続されている。音量制御装置３は、ハブ７を介してオーディオミキサ１とＬＡＮ（local area network）接続される第１音量制御装置３１及び第２音量制御装置３２と、無線ＬＡＮルーター８及びハブ７を介してオーディオミキサ１と無線により接続される第３音量制御装置３３となる携帯端末装置４とから構成されている。
【００２２】
第１音量制御装置３１、第２音量制御装置３２及び携帯端末装置４は、オーディオミキサ１に対して同時期にオーディオミキサ１に入力された音声の音量レベルの調整が行えるようになっている。例えば、オーディオミキサ１の音声が入力される複数のチャンネルのうち、それぞれ異なるチャンネルの音量レベルについて各音量制御装置３を操作して調整することもできるし、同じチャンネルの音量レベルについて複数の音量制御装置３を操作して調整することもできる。なお、同じチャンネルに対して複数の音量制御装置３で調整操作が行われた場合には、最後に操作した音量制御装置による音量レベルの調整結果が適用されるようになっている。
【００２３】
オーディオミキサ１は、音声入力部となる複数のチャンネル（ＣＨ１〜ＣＨ６）と、各チャンネルに対応させて設けたアナログ／デジタル変換器１１と、ＤＳＰ（Digital Signal Processor）１２と、デジタル／アナログ変換器１３と、ＣＰＵ１４と、通信部１５とを備えている。
【００２４】
各チャンネル（ＣＨ１〜ＣＨ６）から入力された音声は、各チャンネルに対応させて設けたアナログ／デジタル変換器１１を通ってＤＳＰ１２に入力される。アナログ／デジタル変換器１１では、アナログ信号をデジタル信号に変換し、変換されたデジタル信号をＤＳＰ１２に入力するようになっている。ＤＳＰ１２でデジタル信号処理が行われてミキシングされた音声は、デジタル／アナログ変換器１３によりデジタル信号からアナログ信号に変換されて、スピーカー２から出力される。
【００２５】
ＣＰＵ１４は、ＤＳＰ１２の制御やモニター表示制御などオーディオミキサ１内の各構成部分の制御を行う。通信部１５は、ＣＰＵ１４と接続されており、ハブ７を介して各音量制御装置３との通信を行うようになっている。
【００２６】
本実施の形態では、ＤＳＰ１２に入力された音声の音量調整は、音量制御装置３を操作することにより行うようになっている。即ち、第１音量制御装置３１、第２音量制御装置３２及び携帯端末装置４は、少なくともオーディオミキサ１の各チャンネル（ＣＨ１〜ＣＨ６）に対応したスライド式の操作子５を備えており、各操作子５を操作することにより、ＤＳＰ１２に入力されたチャンネル毎のオーディオ信号の音量レベルを調整するようになっている。
【００２７】
さらに、第１音量制御装置３１及び第２音量制御装置３２は、チャンネル（ＣＨ１〜ＣＨ６）毎に回転式の音量ツマミ６も備えている。第１音量制御装置３１及び第２音量制御装置３２の操作子５及び音量ツマミ６は、ユーザが直接掴んで操作するようになっている。第１音量制御装置３１及び第２音量制御装置３２では、ユーザが操作子５及び音量ツマミ６を操作することにより、オーディオミキサ１に入力されたチャンネル毎の音声の音量を調整することができる。
【００２８】
第３音量制御装置３３である携帯端末装置４は、無線ＬＡＮルーター８及びハブ７を介してオーディオミキサ１と無線により接続されている。無線ＬＡＮルーター８と携帯端末装置４とが無線通信により接続され、無線ＬＡＮルーター８とハブ７がＬＡＮにより接続されている。携帯端末装置４からオーディオミキサ１に向けた音量調整データは、先ず無線ＬＡＮルーター８により受信され、無線ＬＡＮルーター８からハブ７を介してオーディオミキサ１に送られる。また、オーディオミキサ１から携帯端末装置４に向けたデータは、上記の逆の経路を伝わって、携帯端末装置４に送られる。
【００２９】
さらに、携帯端末装置４は、図１及び図２に示すブロック図に示すように、筐体４０、アンテナ４１を有する無線通信部４２、表示部４３、操作スイッチ４４、メモリ４５、傾き検出部４６、タイマ４７及び入力制御部４８を備える。本実施の形態では、筐体４０は、平面視長方形状で厚みの薄い直方体形状をしている。なお、筐体４０の形状は、これに限定されない。
【００３０】
携帯端末装置４の無線通信部４２は、無線ＬＡＮルーター８に対して、例えば、無線ＬＡＮ、インターネット、電話回線等の通信ネットワークに接続されており、該ネットワーク上に存在する無線ＬＡＮルーター８との間で無線通信が可能になっている。無線通信部４２は、無線ＬＡＮルーター８を介してオーディオミキサ１に対してチャンネル毎の音量調整データを送信する。
【００３１】
表示部４３は、タッチパネル式のＬＣＤ（Liquid Crystal Display：液晶ディスプレイ）により構成されており、筐体４０の長方形の形状に合わせて長方形の画面に形成されている。表示部４３には、オーディオミキサ１の各チャンネルに対応した音量調整用の操作子５、左右移動タッチキー４３ａ、選択動作無効化用タッチキー４３ｂ及び音量調整無効化用タッチキー４３ｃが表示されるようになっている。表示部４３における入力操作は入力制御部４８に出力される。
【００３２】
表示部４３は、タッチパネルとなっているため、表示部４３の画面を指で押圧することにより、表示部４３に表示されている操作子５や左右移動タッチキー４３ａなどを操作することができる。なお、本実施の形態では、複数の操作子５のうち、表示部４３には４つの操作子５が表示されるようになっており、操作子５を選択する動作を行うときには、複数の操作子５のうちの連続した４つの操作子５が表示部４３に表示されるようになっている。
【００３３】
操作スイッチ４４は、筐体の側面に設けられる選択動作無効化スイッチ４４ａ及び音量調整無効化スイッチ４４ｂから構成されている。選択動作無効化スイッチ４４ａ及び音量調整無効化スイッチ４４ｂは、いずれも押圧面を有する接点開閉式のスイッチからなり、押圧面を押圧することにより端子間が導通されて所定の入力信号が出力されるようになっている。
【００３４】
メモリ４５には、ソフトウエアプログラムや、傾き検出部４６により検出した携帯端末装置４の筐体４０の傾斜角度、傾斜方向及びタイマ４７で計測した傾斜させている時間などが記憶される。また、傾き検出部４６は、筐体４０の傾きを検出するセンサであり、加速度センサや傾斜センサなどを用いて構成されている。この傾き検出部４６を構成するセンサは、筐体４０内に内蔵されており、検出した筐体４０の傾斜角度、傾斜方向は、入力制御部４８に出力されて、メモリ４５に記憶されるようになっている。
【００３５】
入力制御部４８は、表示部４３に表示されている各操作子５を操作することにより、オーディオミキサ１においてチャンネル毎に入力された音声の音量調整の制御を行う。本実施の形態では、入力制御部４８は、操作子選択部４８ａと音量調整部４８ｂとを備えている。
【００３６】
操作子選択部４８ａは、複数の操作子５を表示部４３に表示させておいて、表示部４３の画面に表示されている操作子５のうち、所望の操作子５に対応する部分の画面をユーザが指で押圧することにより、所望の操作子５が選択されるように制御される。また、操作子選択部４８ａは、傾き検出部４６で検出された筐体４０の傾きに基づいて操作子５を選択する制御も行う。
【００３７】
音量調整部４８ｂは、複数の操作子５を表示部４３に表示させておいて、表示部４３の画面上の選択した操作子５に対応する部分の画面をユーザが指で押圧しながら指をスライドさせることにより、選択された操作子５に対応するチャンネルの音声の音量調整を制御する。また、音量調整部４８ｂは、傾き検出部４６で検出された筐体４０の傾きに基づいて選択された操作子５に対応するチャンネルの音声の音量調整の制御も行う。
【００３８】
傾き検出部４６で検出された筐体４０の傾きに基づいて各操作子５の操作を行う場合について説明する。まず、筐体４０を傾けた際の変化の基準となる筐体４０の基準傾き状態を予め定めておく。本実視の形態では、筐体４０の平面部に形成される表示部４３の画面が水平状態となっているときの筐体４０の状態を基準傾き状態としている。
【００３９】
水平状態とした表示部４３の画面の前後方向に延びる中心軸を中心にして筐体４０を画面左右方向に回転させて傾けるとき（第１方向）、表示部４３の画面が基準傾き状態（水平状態）に対して上下に一定角度以上で、かつ、一定時間以上傾くことにより、表示部４３に表示された複数の操作子５の中から任意の操作子５を選択できるようになっている。
【００４０】
また、水平状態とした表示部４３の画面の左右方向に延びる中心軸を中心にして筐体４０を画面前後方向に回転させて傾けるとき（第２方向）、表示部４３の画面が基準傾き状態に対して上下に一定角度以上で、かつ、一定時間以上傾くことにより、選択した操作子５に対応するチャンネルの音声の音量を調整できるようになっている。
【００４１】
なお、上記前後方向および左右方向とは、表示部４３に表示されている画像をユーザが見た場合、その画像の上下方向を画面の前後方向とし、その画像の左右方向を画面の左右方向としたときの、画面の前後方向及び左右方向を言う。従って、上下方向の長さが短い横長の画面で画像を見ている場合には、画面の横長方向が画面の左右方向となり、上下方向の長さが長い縦長の画面で画像を見ている場合には、画面の縦長方向が画面の前後方向となる。本実施の形態の携帯端末装置４は、表示部４３の画面を横長状態として画像を表示することもできるし、縦長状態として画像を表示することもできるようになっている。
【００４２】
傾き検出部４６で検出された筐体４０の傾きに基づいて各操作子５の選択操作及び音量調整制御を行う場合、表示部４３には、選択動作無効化手段となる選択動作無効化用タッチキー４３ｂと音量調整無効化手段となる音量調整無効化用タッチキー４３ｃとが表示されるようになっている。なお、選択動作無効化用タッチキー４３ｂ及び音量調整無効化用タッチキー４３ｃの表示は、常に行うようにしてもよい。さらに、選択動作無効化用タッチキー４３ｂ及び音量調整無効化用タッチキー４３ｃは、ユーザが片手で筐体４０を保持したときに、筐体４０を保持したまま、この保持している手の親指で押すことができる位置に表示させている。
【００４３】
音量調整無効化用タッチキー４３ｃは、オン動作（表示部４３への押圧動作）時には、傾き検出部４６により検出された傾きに基づく音量の調整量の変更は行わないようになっている。したがって、音量調整無効化用タッチキー４３ｃのオン動作時は、傾き検出部４６で検出された検出結果は、操作子５を選択する操作にのみ用いられる。このように、音量調整無効化用タッチキー４３ｃをオン動作させることにより、所定の操作子５を選択する操作中に、筐体４０が画面の前後方向に多少傾いた場合でも、操作子５による音量の調整が行われるという誤作動を阻止でき、操作子５の選択操作を確実に行える。
【００４４】
選択動作無効化用タッチキー４３ｂは、オン動作時には、傾き検出部４６により検出された傾きに基づく操作子５の選択の変更は行わないようになっている。したがって、選択動作無効化用タッチキー４３ｂのオン動作時は、傾き検出部４６で検出された検出結果は、操作子５による音量の調整にのみ用いられる。このように、選択動作無効化用タッチキー４３ｂをオン動作させることにより、操作子５による音量の調整中に、筐体４０が画面の左右方向に多少傾いた場合でも、他の操作子５が選択されるという誤作動を阻止でき、操作子５による音量の調整を確実に行える。
【００４５】
また、操作スイッチ４４の、選択動作無効化スイッチ４４ａは、上記表示部４３の選択動作無効化用タッチキー４３ｂと同じ動作をし、操作スイッチ４４の音量調整無効化スイッチ４４ｂは、上記表示部４３の音量調整無効化用タッチキー４３ｃと同じ動作をするようになっている。選択動作無効化スイッチ４４ａ及び音量調整無効化スイッチ４４ｂは、図１に示すように、携帯端末装置４の側面に設けられており、ユーザは、片手で筐体４０を保持しながら選択動作無効化スイッチ４４ａ又は音量調整無効化スイッチ４４ｂを押し続けて、携帯端末装置４を傾けることにより、操作子５の選択又は音量調整を簡単かつ確実に行うことができる。
【００４６】
ユーザは、表示部４３の選択動作無効化用タッチキー４３ｂ又は音量調整無効化用タッチキー４３ｃか、操作スイッチ４４の選択動作無効化スイッチ４４ａ又は音量調整無効化スイッチ４４ｂかを選択して用いることができる。
【００４７】
また、表示部４３の選択動作無効化用タッチキー４３ｂ及び音量調整無効化用タッチキー４３ｃ、操作スイッチ４４の選択動作無効化スイッチ４４ａ及び音量調整無効化スイッチ４４ｂを使用しない場合には、交差する２方向についての傾きに基づいて、操作子の選択を行うための操作入力と、音量調整を行うための操作入力が行われる。従って、例えば、ユーザが操作子の選択を行う操作入力をしている時に、音量調整無効化用タッチキー４３ｃ又は音量調整無効化スイッチ４４ｂがオフ状態であれば、交差する２方向についての傾きに基づいて、操作子の選択を行う操作入力と、音量調整を行う操作入力とが行われてしまうので、ユーザは、確実に筐体４０を左右方向に傾ける必要がある。
【００４８】
なお、入力制御部４８は、ユーザが表示部４３の画面を押圧することにより操作子５の選択及び音量調整操作を制御可能としているが、表示部４３の画面を押圧することにより操作子５の選択及び音量調整を行う時には、傾き検出部４６により検出された傾き結果が操作子選択部４８ａ及び音量調整部４８ｂへ入力されても、この傾き結果は無効にするようになっている。したがって、表示部４３の画面を押圧することにより操作子５の選択及び音量調整を行う時には、傾き検出部４６により検出された傾き結果に影響されることなく、表示部４３の画面を押圧する動作により操作子５の選択及び音量調整を確実に行うことができる。
【００４９】
次に本実施形態の携帯端末装置４を用いたオーディオミキサ１の音量調整の制御について図３のフローチャートに従って説明する。
【００５０】
本実施の形態の携帯端末装置４は、電源が入っているときには、オーディオミキサ１の各チャンネルに対応した操作子５のうち、チャンネルＣＨ１〜ＣＨ４に対応する操作子５が表示部４３に表示された状態になっている。
【００５１】
まず、携帯端末装置４は、オーディオミキサ１の音量レベルの調整を開始すると、傾き検出部４６により筐体４０の傾き方向と傾斜角度を検出する（ステップＳ１０１）。
【００５２】
入力制御部４８は、傾き検出部４６により検出された筐体４０の傾き方向が左右方向であるかどうかを判断する（ステップＳ１０２）。このとき、基準傾き状態（水平状態）から一定角度以上傾斜し、かつ、傾いた状態が一定時間以上継続されているかどうかも判断される。
【００５３】
筐体４０の傾き方向が左右方向であって、基準傾き状態（水平状態）から一定角度以上傾斜し、かつ、傾いた状態が一定時間以上継続されている場合（ステップＳ１０２でＹｅｓ）は、入力制御部４８の操作子選択部４８ａは、表示部４３の選択動作無効化用タッチキー４３ｂ又は操作スイッチ４４の選択動作無効化スイッチ４４ａがオン動作になっているか否かを判断する（ステップＳ１０３）。
【００５４】
選択動作無効化用タッチキー４３ｂ又は選択動作無効化スイッチ４４ａがオフ状態の場合（ステップＳ１０３でＮｏ）には、操作子５の選択が行われる（ステップＳ１０４）。なお、ステップＳ１０２でＮｏと判断された場合及びステップＳ１０３でＹｅｓと判断された場合には、操作子の選択は行われない。例えば、ユーザが音量調整をしたいのに筐体４０を左右方向に傾けてしまった場合、選択動作無効化用タッチキー４３ｂ又は選択動作無効化スイッチ４４ａがオン状態となっていると（ステップＳ１０３でＹｅｓ）、操作子の選択は行われず、誤作動を防止できる。
【００５５】
次に、入力制御部４８は、傾き検出部４６に検出よりされた筐体４０の傾き方向が前後方向であるかどうかを判断する（ステップＳ１０５）。このとき、基準傾き状態（水平状態）から一定角度以上傾斜し、かつ、傾いた状態が一定時間以上継続されているかどうかも判断される。
【００５６】
筐体４０の傾き方向が前後方向であって、基準傾き状態（水平状態）から一定角度以上傾斜し、かつ、傾いた状態が一定時間以上継続されている場合（ステップＳ１０５でＹｅｓ）は、入力制御部４８の音量調整部４８ｂは、表示部４３の音量調整無効化用タッチキー４３ｃ又は操作スイッチ４４の音量調整無効化スイッチ４４ｂがオン動作になっているか否かを判断する（ステップＳ１０６）。
【００５７】
音量調整無効化用タッチキー４３ｃ又は音量調整無効化スイッチ４４ｂがオフ状態の場合（ステップＳ１０６でＮｏ）には、選択された操作子５による音量の調整が行われる（ステップＳ１０７）。なお、ステップＳ１０５でＮｏと判断された場合及びステップＳ１０６でＹｅｓと判断された場合には、音量の調整は行われない。例えば、ユーザが操作子の選択を行いたいのに筐体４０を前後方向に傾けてしまった場合、音量調整無効化用タッチキー４３ｃ又は音量調整無効化スイッチ４４ｂがオン状態となっていれば（ステップＳ１０６でＹｅｓ）、音量調整は行われず、誤作動を防止できる。
【００５８】
本実施の形態では、携帯端末装置４は、ステップＳ１０１からステップＳ１０７を繰り返すことにより、所望の操作子を選択した後、選択された操作子による音量の調整を行うことができる。そして、選択された操作子５による音量の調整量のデータがオーディオミキサ１に送信される。
【００５９】
また、本実施の形態では、ユーザの選択により、表示部４３の押圧動作により操作子５を選択して音量調整を行うこともできる。この場合には、表示部４３に表示される操作子５の部分を指で押圧することにより、操作子５の選択と、音量調整が開始される。
【００６０】
以上のように、本実施の形態では、携帯端末装置４の表示部４３の画面が小さくても、筐体４０の２つの傾きの方向に基づいて各操作子５の選択と音量調整とを区別して行うことができるので、操作子５による音量調整の操作を支障なく簡単に行うことができる。しかも、本実施の形態では、片手で携帯端末装置４を持ったまま簡単に操作子５の操作が行える。
【００６１】
なお、本実施の形態において音響装置であるオーディオミキサ１はデジタル信号処理を行うＤＳＰ１２を備えるデジタルミキサとしたが、これに限らず、本発明の音響装置用携帯端末装置は、アナログ信号処理回路を具備するアナログオーディオミキサに対しても用いることができる。
【００６２】
さらに、本実施の形態では、音響装置の一例としてオーディオミキサを挙げたが、オーディオミキサに限らず、その他、適宜の音響装置、例えばエフェクタや、音響信号処理エンジン等に対して本発明の音響装置用携帯端末装置を適用することもできる。
【００６３】
また、本発明の音響装置用携帯端末装置は、表示部の画面に表示される画像が下向きになるように、筐体を逆さまにしたときや、筐体を強く数回振ったときに、傾き検出部４６の検出結果の入力制御部４８への入力が有効になるように構成してもよい。
【００６４】
また、本実施の形態では、傾き検出部４６による検出結果は、一定角度以上に傾けられた状態が一定時間を越えたときに、傾き検出結果を入力制御部４８に対して入力して傾きに基づいて操作子５を操作するようにしたが、さらに、傾きの大きさに応じて操作速度が速くなるようにしてもよい。また、同じ傾きのままでも、経過時間に応じて操作子５の操作速度が速くなるようにしてもよい。このように、携帯端末装置４を傾けている間は、任意の時間間隔で操作子５の操作速度を変更することにより、感度調節が可能となる。また、傾き検出部４６を加速度センサ又は傾斜センサにより構成する場合、筐体におけるセンサを配置させる位置により細かい角度制御が可能となる。
【００６５】
また、携帯端末装置４は、音量調整無効化用タッチキー４３ｃ又は音量調整無効化スイッチ４４ｂをオン動作することにより、前後左右方向に関わらず、基準傾き状態から筐体を傾ける動作により、傾き検出結果に基づいて操作子５を選択する操作のみ行い、選択動作無効化用タッチキー４３ｂ又は選択動作無効化スイッチ４４ａをオン動作することにより、前後左右方向に関わらず、基準傾き状態から筐体を傾ける動作により、傾き検出結果に基づいて音量調整のみを行うようにしてもよい。
【００６６】
なお、本実施の形態では、表示部４３には、選択動作無効化用タッチキー４３ｂ及び音量調整無効化用タッチキー４３ｃを表示するようにしたが、１つの無効化用タッチキーを表示するようにすることもできる。この場合、例えば、無効化用タッチキーを１回押してそのまま押し続けることにより操作子を選択する操作入力を無効にし、無効化用タッチキーを２回連続して押して、この２回目で押し続けることにより音量調整の操作入力を無効にすることができる。また、無効化用タッチキーは、操作子を選択する操作入力のみを無効にするように構成することもできるし、音量調整の操作入力のみを無効にするように構成することもできる。
【００６７】
また、本実施の形態では、選択動作無効化スイッチ４４ａ及び音量調整無効化スイッチ４４ｂを設けるようにしたが、１つの無効化用スイッチを設けるようにすることもできる。この場合、例えば、無効化用スイッチを１回押してそのまま押し続けることにより操作子を選択する操作入力を無効にし、無効化用スイッチを２回連続して押して、この２回目で押し続けることにより音量調整の操作入力を無効にすることができる。また、無効化用スイッチは、操作子を選択する操作入力のみを無効にするように構成することもできるし、音量調整の操作入力のみを無効にするように構成することもできる。
【００６８】
さらに、本発明に係る音響装置用携帯端末装置は、筐体に画面左右方向及び画面上下方向を指定する方向指定キーを設けて、左右方向の方向指定キーを操作することにより、表示部に表示されている複数の操作子の中から所定の操作子を選択し、上下方向の方向指定キーを操作することにより、選択した操作子の音量を調整するようにしてもよい。
【００６９】
なお、方向指定キーを用いて操作子の選択及び音量調整を行う時には、入力制御部は、ユーザが方向指定キーを用いて操作子の選択及び音量調整操作を行っている時には、傾き検出結果が入力制御部へ入力されても、この傾き検出結果は無効となるように制御する。このように制御することにより、方向指定キーを用いて操作子を操作する時には、傾き検出結果に影響されることなく、方向指定キーによる操作子の選択及び音量調整を確実に行うことができる。
【００７０】
本実施の形態では、携帯端末装置は、複数の音量制御装置のうちの一つとして構成したが、この携帯端末装置のみでオーディオミキサの音量を調整するようにしてもよい。また、本実施の形態では、携帯端末装置は１つとしているが、複数の携帯端末装置を無線ＬＡＮルーターを介してオーディオミキサと無線通信により接続することもできる。
【００７１】
また、本実施の形態では、音響装置の一例としてオーディオミキサを挙げたが、本発明の入力装置は、オーディオミキサに限らず、カメラを遠隔操作するための入力装置や、ゲームの入力装置としても適用することができる。
【図面の簡単な説明】
【００７２】
【図１】本発明の実施の形態の音量制御装置となる携帯端末装置と、その他の音量制御装置とを音響装置に接続した一構成例を示したブロック図である。
【図２】本発明の実施の形態の携帯端末装置の構成を示したブロック図である。
【図３】本発明の実施の形態の携帯端末装置を用いた音量調整の制御を示すフローチャートである。
【符号の説明】
【００７３】
１    オーディオミキサ
１１  アナログ／デジタル変換器
１２  ＤＳＰ
１３  デジタル／アナログ変換器
１４  ＣＰＵ
１５  通信部
２    スピーカー
３    音量制御装置
３１  第１音量制御装置
３２  第２音量制御装置
３３  第３音量制御装置
４    携帯端末装置
４０  筐体
４１  アンテナ
４２  無線通信部
４３  表示部
４３ａ  左右移動タッチキー
４３ｂ  選択動作無効化用タッチキー
４３ｃ  音量調整無効化用タッチキー
４４  操作スイッチ
４４ａ  選択動作無効化スイッチ
４４ｂ  音量調整無効化スイッチ
４５  メモリ
４６  傾き検出部
４７  タイマ
４８  入力制御部
４８ａ  操作子選択部
４８ｂ  音量調整部
５    操作子
６    音量ツマミ
７    ハブ
８    無線ＬＡＮルーター
【図１】
0005119389.tif 000002
【図２】
0005119389.tif 000003
【図３】
0005119389.tif 000004